(57)【要約】      （修正有）【課題】化学樹脂が持つ復元力で、凸凹を繰り返す特性を利用した、噴出容器である。【解決手段】種々の容積体を、樹脂膜（６）などを押圧密着し封をした、容器（１）とし、この内部に香料含有体（２）を内在させ、香りを噴出させたり、又は有効成分を内在させ、開口部か破線穴（４）か、口（５）から噴出させる。これら穴や口は、剥離粘着シート（７）で蓋をし任意に剥がし、噴出の調節ができる。容器（１）は人が接触する品物の内外に、両面テープ（３）で固定し接触圧が掛る度に成分が噴出する容器となる。【選択図】図１
2006346406.tif 000002
【特許請求の範囲】
【請求項１】
化学樹脂などの素材で、形状が柔軟性と復元力のある箱体、球体、チューブ体、袋体などに樹脂膜（６）を接着、又は粘着剤塗布シートなどで開口部を封した容器（１）とし適位置に破線穴（４）か口（５）を設け、この穴口の部分を、剥離粘着シート（７）で蓋をし任意に剥がし、噴出調節が可能とし、この内部に香料含有紙（２）、又は効果成分を内在させ、人が使用する品物の内部や外部に、両面テープ（３）などで固定し、化学樹脂の凸凹を繰り返す特性を利用し、使用時のみに接触圧で成分を噴出する物となる噴出容器。
【請求項２】
化学樹脂などで柔軟性と復元力のある、樹脂シート（８）を折り又は、二枚重ねで空間を作り接着した楕円状か蒲鉾状の筒状体とし、適した奥行で一方を押圧接着し、一方は折りたたみ閉じた封とするか、適した開口部か、口（５）又は、破線穴（４）を適位置に設けた容器（１）とした、請求項１項記載の噴出容器。
【発明の詳細な説明】
【発明の詳細な説明】
【産業上の利用分野】
【０００１】本発明は、柔軟性と復元力のある素材からなる容器（１）にて、内部に香料含有紙（２）や有効成分などを配し、使用時の接触圧や任意に加圧して噴出させる物である。人が使用する物や身に付ける製品の、隙間に挟むか、内部か外部に接着し、使用する。利用分野の代表的な製品としては、香水を入れ、衣類の適位置に貼り、取り外し可能で噴出の調節も可能となる。その他、寝具、ソファ−、枕、イス、帽子、トイレ用品、靴、衣類、スポーツ用品、生活用品など人が接触圧を加える製品で有れば効果成分を入れ利用可能となる。又、薬成分を入れ、口（５）を下面に開け、治療する位置に貼ると、集中的に効果成分を出すバンソウ膏状の容器となる。
【背景技術】
【０００２】従来、香水などは身体に直接付ける為、肌荒れや衣服にシミを残すなど、使用し難い欠点があり、又香りが強過ぎたり、すぐに消滅するなど、調節が出来ない物が殆どであった。香りや有効成分などを発散させる用品は、不必要な時も無駄に発散してしまい、成分を必要な時に放出できる製品は少なかった。
【発明が解決しようとする課題】
【０００３】従来、香りや有効成分を墳出させる製品は種々あるが、人が必要としない時も、無駄に発散や蒸発してしまう欠点を持つ物が多かった。本発明はこの欠点を解決する物で、人が使用する製品の内外部に噴出容器体を配し、接触したり任意に加圧した時にのみ、香りや効果成分が墳出できる物となる。
【課題を解決する為の手段】
【０００４】化学樹脂類の凸凹を繰り返す特性を利用した、内部の成分が噴出する容器である。。人が使用する品物で、香りや効果成分の噴出が適した製品、例えば、枕、帽子、トイレ用品、靴、その他衣類や生活用品などの隙間や内部、又は外部に容器を配する。容器（１）は接触圧迫を受ける位置に、適した大きさの物を配する。容器（１）はポリプロピレン製やビニール製の筒体、又は化学樹脂製の箱体、球体、袋体、筒体などで柔軟性と復元力があり、これらに樹脂膜（６）を熱接着か接着剤で封をするか又は、粘着剤塗布シートなどで封をする。適位置に引き開ける破線穴（４）か、口（５）を設け、これら穴口を剥離粘着シート（７）で蓋し、任意に開閉でき噴出調節が可能となる。種々の容器体を、粘着剤塗布シートで形状を作り固定し、蒲鉾状、又は藤壺状や花びら状やその他のデザインした形状でも粘着固定が出来れば種々の形状体となる。香水などの液体を留めるには、容器（１）の内部にガーゼ、化繊、不織布、折り紙などを、香料含有体（２）として配するか、薬剤などを効果成分として配する。又、鉱物などその他の効果を生む物でも、内在出来る物であれば使用可能である。容器を固定する、両面テープ（３）面に大小の適数の、口（５）を設け、口位置を患部に貼ると、薬成分が接触のたびに患部に補給される、バンソウ膏状の貼り薬となる。内部に成分を入れる方法としては、内部に在中させた後、熱シール接着するか、開口穴から挿入する事で解決出来る。容器を覆う粘着剤塗布シートは、色彩や形状でデザインしたり、又肌触りの良い布やスポンジ系の素材を使用してオシャレな物として製品化も可能である。請求項２項は、樹脂シート（８）を折り、又は二枚重ねで空間を作り接着した、楕円状か蒲鉾状の筒状体とし、適した奥行きで押圧接着し、一方は重ねて折り、閉じた封とする。又は、開口状体では、適した大きさの部分開口か、全開口か穴とした、口（５）を設けるか、又は破線穴（４）を設けて押圧接着した、容器（１）とする。口（５）や破線穴（４）は単数か又は、複数設けてもよく、大きさも成分や製品に合わせる。適位置に設けた破線穴（４）や口（５）は、夫々を剥離粘着シート（７）で封をし、任意に開閉し、内部の成分の噴出を調節できる。容器（１）の内部に香料含有体（２）や有効成分を入れると膨らみ、更に排出空間を作る。空間の有る楕円筒状体は、加圧すると凹状となりへこみ、内部の成分を噴出するが、圧力が掛らないと復元し成分の噴出は起らない。従って人が触れたり任意に加圧した時のみ成分が噴出し、無駄な成分減少を防ぐ。
【発明の効果】
【０００５】人が使用する品物に取り付け、接触すると香りや有効成分が、噴出する容器である。化学樹脂が持つ柔軟性と復元力で、凸凹を繰り返す特性を利用した、噴出容器となる。種々の容積体の、開口部に封をし容器（１）とし、接触圧を加えた時のみ、内在させた香料含有体（２）から香りが、他の成分でも、、破線穴（４）か、口（５）から噴出する物となる。尚、使用しない時は噴出せず、無駄にならない、効果も合わせ持つ。
【実施例】
【０００６】実施例を第１図で説明すると、化学樹脂などで、柔軟性と復元力のある、筒体や容積体に樹脂膜（６）又は、粘着剤塗布シートで封をし、容器（１）としこの適位置に、破線穴（４）か、口（５）を設ける。この破線穴か口は開口し、剥離粘着シート（７）で蓋し、任意に噴出調節ができる。容器（１）の内部に香料含有体（２）か又は、効果成分を内在させる。人が使用する品物の、隙間や内部や外部に、両面テープ（３）などで固定する。化学樹脂の凸凹を繰り返す特性で、内部の効果成分を使用時のみ噴出する物となる。請求項２項を第２図で説明すると、化学樹脂製などの復元力の有る、樹脂シート（８）、を折り楕円筒状体とし接着するか、又は二枚重ねで蒲鉾状とし空間を作った状態とする。これらの一方を押圧密着するか樹脂膜（６）を接着して、底を作り、容器（１）とする。一方は折り重ね封をするか、全開口か部分開口か、破線穴（４）か、口（５）を設ける。口や穴は、剥離粘着シート（７）で封をし、任意に剥がし、噴出を調節出来る物となる。容器（１）は人が触れる品物に両面テープ（３）などで接着し、接触圧で内部の効果成分が噴出し、加圧しない時は成分の、無駄な噴出がない物となる。
【図面の簡単な説明】
【０００７】
【図１】本発明の斜視透視図である
【図２】本発明の斜視透視図である
【符号の説明】
【０００８】（１）・・・容器  （２）・・・香料含有体  （３）・・・両面テープ  （４）・・・破線穴  （５）・・・口  （６）・・・樹脂膜  （７）・・・剥離粘着シート  （８）・・・樹脂シート
【図１】
2006346406.tif 000003
【図２】
2006346406.tif 000004